(57)【特許請求の範囲】
【請求項１】
スノーダクト方式の屋根（２Ａ）に設けられたルーフドレン（２Ｂ）と、浴槽（２Ｃ）と、トイレ（２Ｄ）などが設けられている建物（２）において、建物（２）と、高置水槽（３）と、防火兼融雪槽（４）から構成され、高置水槽（３）は、底部（３Ａ）と側壁（３Ｂ）から構成され、建物（２）において、ルーフドレン（２Ｂ）の設置位置より下方位置で、浴槽（２Ｃ）、トイレ（２Ｄ）の設置位置より上方位置をもって設けられ、防火兼融雪槽（４）は、底部（４Ａ）と側壁（４Ｂ）と天板（４Ｃ）から構成され、屋外において、浴槽（２Ｃ）、トイレ（２Ｄ）の設置位置より下方位置をもって設けられ、屋上に降る雨をルーフドレンから高置水槽に入れて溜めて置き、落差を利用して配管を通じ、便器、散水器、浴槽、防火兼融雪槽などに必要時に配水するよう構成されていることを特徴する雨水や融雪水などの循環システム。
【請求項２】
スノーダクト方式の屋根（２Ａ）に設けられたルーフドレン（２Ｂ）と、浴槽（２Ｃ）と、トイレ（２Ｄ）などが設けられている建物（２）において、建物（２）と、高置水槽（３）と、防火兼融雪槽（４）から構成され、高置水槽（３）は、底部（３Ａ）と側壁（３Ｂ）から構成され、建物（２）において、ルーフドレン（２Ｂ）の設置位置より下方位置で、浴槽（２Ｃ）、トイレ（２Ｄ）の設置位置より上方位置をもって設けられ、防火兼融雪槽（４）は、底部（４Ａ）と側壁（４Ｂ）と天板（４Ｃ）から構成され、屋外において、浴槽（２Ｃ）、トイレ（２Ｄ）の設置位置より下方位置をもって設けられ、天板（４Ｃ）には開閉自在の蓋（４Ｃ１１）を有する点検兼雪投入口（４Ｃ１）が設けられ、ルーフドレン（２Ｂ）に連結された第１パイプ（Ｐ１）の下端は、高置水槽（３）における側壁（３Ｂ）の上端近傍に連結され、高置水槽（３）における側壁（３Ｂ）の下方部分に浄水器（１０）を介して連結された第２パイプ（Ｐ２）の先端は、建物（２）の外部に引出されて蛇口（１１）が取付けられ、この第２パイプ（Ｐ２）の途中より第３パイプ（Ｐ３）と第４パイプ（Ｐ４）が分岐され、第３パイプ（Ｐ３）は蛇口を介して浴槽（２Ｃ）に連結され、第４パイプ（Ｐ４）はトイレ（２Ｄ）に連結され、高置水槽（３）における側壁（３Ｂ）の上方部分にオーバーフローパイプとして連結された第５パイプ（Ｐ５）の下端は、防火兼融雪槽（４）の側壁（４Ｂ）における上方部分に連結され、浴槽（２Ｃ）からの排水パイプとして連結された第６パイプ（Ｐ６）の下端は、防火兼融雪槽（４）の側壁（４Ｂ）における上方部分に連結され、防火兼融雪槽（４）の側壁（４Ｂ）における下方部分に、防火兼融雪槽側から浄水器（１２）、ポンプ（１３）を介して連結された第７パイプ（Ｐ７）の上端は、高置水槽（３）の上面開口部に対して開口され、防火兼融雪槽（４）の側壁（４Ｂ）の上方部分にオーバーフローパイプとして連結された第８パイプ（Ｐ８）の先端は、排水溝（９）に連結されていることを特徴する雨水や融雪水などの循環システム。
【請求項３】
スノーダクト方式の屋根（２Ａ）に設けられたルーフドレン（２Ｂ）と、浴槽（２Ｃ）と、トイレ（２Ｄ）などが設けられている建物（２）において、建物（２）と、高置水槽（３）と、防火兼融雪槽（４）から構成され、高置水槽（３）は、底部（３Ａ）と側壁（３Ｂ）から構成され、建物（２）において、ルーフドレン（２Ｂ）の設置位置より下方位置で、浴槽（２Ｃ）、トイレ（２Ｄ）の設置位置より上方位置をもって設けられ、防火兼融雪槽（４）は、底部（４Ａ）と側壁（４Ｂ）と天板（４Ｃ）から構成され、屋外において、浴槽（２Ｃ）、トイレ（２Ｄ）の設置位置より下方位置をもって設けられ、屋上に降る雨をルーフドレンから高置水槽に入れて溜めて置き、落差を利用して配管を通じ、必要時に便器、散水器、浴槽などに配水すると共に、防火兼融雪槽に対する配水は当該防火兼融雪槽の底面中央部で行うよう構成されていることを特徴する雨水や融雪水などの循環システム。
【請求項４】
スノーダクト方式の屋根（２Ａ）に設けられたルーフドレン（２Ｂ）と、浴槽（２Ｃ）と、トイレ（２Ｄ）などが設けられている建物（２）において、建物（２）と、高置水槽（３）と、防火兼融雪槽（４）から構成され、高置水槽（３）は、底部（３Ａ）と側壁（３Ｂ）から構成され、建物（２）において、ルーフドレン（２Ｂ）の設置位置より下方位置で、浴槽（２Ｃ）、トイレ（２Ｄ）の設置位置より上方位置をもって設けられ、防火兼融雪槽（４）は、底部（４Ａ）と側壁（４Ｂ）と天板（４Ｃ）から構成され、屋外において、浴槽（２Ｃ）、トイレ（２Ｄ）の設置位置より下方位置をもって設けられ、天板（４Ｃ）には開閉自在の蓋（４Ｃ１１）を有する点検兼雪投入口（４Ｃ１）が設けられ、ルーフドレン（２Ｂ）に連結された第１パイプ（Ｐ１）の下端は、高置水槽（３）における側壁（３Ｂ）の上端近傍に連結され、高置水槽（３）における側壁（３Ｂ）の下方部分に浄水器（１０）を介して連結された第２パイプ（Ｐ２）の先端は、建物（２）の外部に引出されて蛇口（１１）が取付けられ、この第２パイプ（Ｐ２）の途中より第３パイプ（Ｐ３）と第４パイプ（Ｐ４）が分岐され、第３パイプ（Ｐ３）は蛇口を介して浴槽（２Ｃ）に連結され、第４パイプ（Ｐ４）はトイレ（２Ｄ）に連結され、高置水槽（３）における側壁（３Ｂ）の下方部分に連結された第９パイプ（Ｐ９）の下端（Ｐ９１）は、防火兼融雪槽（４）の底面（４Ａ）の中央部まで引込まれ上方に向け開口され、浴槽（２Ｃ）からの排水パイプとして連結された第６パイプ（Ｐ６）の下端は、防火兼融雪槽（４）の側壁（４Ｂ）における上方部分に連結され、防火兼融雪槽（４）の側壁（４Ｂ）における下方部分に、防火兼融雪槽側から浄水器（１２）、ポンプ（１３）を介して連結された第７パイプ（Ｐ７）の上端は、高置水槽（３）の上面開口部に対して開口され、防火兼融雪槽（４）の側壁（４Ｂ）の上方部分にオーバーフローパイプとして連結された第８パイプ（Ｐ８）の先端は、排水溝（９）に連結されていることを特徴する雨水や融雪水などの循環システム。
【発明の詳細な説明】
【０００１】
【発明の属する技術分野】
本発明は、雨水や融雪水などの循環システムに関するものである。
【０００２】
【従来の技術】
従来の水の有効利用については、例えば下記のような方法が採用されている。
１．浴槽の使用水を融雪槽に流し使用する。
２．雨水をトイレに流し使用する。
【０００３】
【発明が解決しようとする課題】
従来の技術で述べたものにあっては、下記のような問題点を有していた。
１．雨水を利用するにしても、雨水を屋根で受けて、すぐ排水溝に流すので有効利用にはならない。
２．融雪装置を使用する場合も、融雪水をただ排水溝に流すので有効利用にはならない。
本発明は、従来の技術の有するこのような問題点に鑑みなされたものであり、その目的とするところは、上述の問題を解決できるものを提供しようとするものである。
【０００４】
【課題を解決するための手段】
上記目的を達成するために、本発明は下記のようになるものである。
１．請求項１記載の発明は、スノーダクト方式の屋根２Ａに設けられたルーフドレン２Ｂと、浴槽２Ｃと、トイレ２Ｄなどが設けられている建物２において、建物２と、高置水槽３と、防火兼融雪槽４から構成され、高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられ、防火兼融雪槽４は、底部４Ａと側壁４Ｂと天板４Ｃから構成され、屋外において、浴槽２Ｃ、トイレ２Ｄの設置位置より下方位置をもって設けられ、屋上に降る雨をルーフドレンから高置水槽に入れて溜めて置き、落差を利用して配管を通じ、便器、散水器、浴槽、防火兼融雪槽などに必要時に配水するよう構成されていることを特徴するものである。
【０００５】
２．請求項２記載の発明は、スノーダクト方式の屋根２Ａに設けられたルーフドレン２Ｂと、浴槽２Ｃと、トイレ２Ｄなどが設けられている建物２において、
建物２と、高置水槽３と、防火兼融雪槽４から構成され、
高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられ、
防火兼融雪槽４は、底部４Ａと側壁４Ｂと天板４Ｃから構成され、屋外において、浴槽２Ｃ、トイレ２Ｄの設置位置より下方位置をもって設けられ、天板４Ｃには開閉自在の蓋４Ｃ１１を有する点検兼雪投入口４Ｃ１が設けられ、
ルーフドレン２Ｂに連結された第１パイプＰ１の下端は、高置水槽３における側壁３Ｂの上端近傍に連結され、
高置水槽３における側壁３Ｂの下方部分に浄水器１０を介して連結された第２パイプＰ２の先端は、建物２の外部に引出されて蛇口１１が取付けられ、この第２パイプＰ２の途中より第３パイプＰ３と第４パイプＰ４が分岐され、第３パイプＰ３は蛇口を介して浴槽２Ｃに連結され、第４パイプＰ４はトイレ２Ｄに連結され、
高置水槽３における側壁３Ｂの上方部分にオーバーフローパイプとして連結された第５パイプＰ５の下端は、防火兼融雪槽４の側壁４Ｂにおける上方部分に連結され、
浴槽２Ｃからの排水パイプとして連結された第６パイプＰ６の下端は、防火兼融雪槽４の側壁４Ｂにおける上方部分に連結され、
防火兼融雪槽４の側壁４Ｂにおける下方部分に、防火兼融雪槽側から浄水器１２、ポンプ１３を介して連結された第７パイプＰ７の上端は、高置水槽３の上面開口部に対して開口され、
防火兼融雪槽４の側壁４Ｂの上方部分にオーバーフローパイプとして連結された第８パイプＰ８の先端は、排水溝９に連結されていることを特徴するものである。
【０００６】
３．請求項３記載の発明は、スノーダクト方式の屋根２Ａに設けられたルーフドレン２Ｂと、浴槽２Ｃと、トイレ２Ｄなどが設けられている建物２において、建物２と、高置水槽３と、防火兼融雪槽４から構成され、高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられ、防火兼融雪槽４は、底部４Ａと側壁４Ｂと天板４Ｃから構成され、屋外において、浴槽２Ｃ、トイレ２Ｄの設置位置より下方位置をもって設けられ、屋上に降る雨をルーフドレンから高置水槽に入れて溜めて置き、落差を利用して配管を通じ、必要時に便器、散水器、浴槽などに配水すると共に、防火兼融雪槽に対する配水は当該防火兼融雪槽の底面中央部で行うよう構成されていることを特徴するものである。
【０００７】
４．請求項４記載の発明は、スノーダクト方式の屋根２Ａに設けられたルーフドレン２Ｂと、浴槽２Ｃと、トイレ２Ｄなどが設けられている建物２において、
建物２と、高置水槽３と、防火兼融雪槽４から構成され、
高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられ、
防火兼融雪槽４は、底部４Ａと側壁４Ｂと天板４Ｃから構成され、屋外において、浴槽２Ｃ、トイレ２Ｄの設置位置より下方位置をもって設けられ、天板４Ｃには開閉自在の蓋４Ｃ１１を有する点検兼雪投入口４Ｃ１が設けられ、
ルーフドレン２Ｂに連結された第１パイプＰ１の下端は、高置水槽３における側壁３Ｂの上端近傍に連結され、
高置水槽３における側壁３Ｂの下方部分に浄水器１０を介して連結された第２パイプＰ２の先端は、建物２の外部に引出されて蛇口１１が取付けられ、この第２パイプＰ２の途中より第３パイプＰ３と第４パイプＰ４が分岐され、第３パイプＰ３は蛇口を介して浴槽２Ｃに連結され、第４パイプＰ４はトイレ２Ｄに連結され、
高置水槽３における側壁３Ｂの下方部分に連結された第９パイプＰ９の下端Ｐ９１は、防火兼融雪槽４の底面４Ａの中央部まで引込まれ上方に向け開口され、浴槽２Ｃからの排水パイプとして連結された第６パイプＰ６の下端は、防火兼融雪槽４の側壁４Ｂにおける上方部分に連結され、
防火兼融雪槽４の側壁４Ｂにおける下方部分に、防火兼融雪槽側から浄水器１２、ポンプ１３を介して連結された第７パイプＰ７の上端は、高置水槽３の上面開口部に対して開口され、
防火兼融雪槽４の側壁４Ｂの上方部分にオーバーフローパイプとして連結された第８パイプＰ８の先端は、排水溝９に連結されていることを特徴するものである。
【０００８】
【発明の実施の形態】
以下、本発明の実施の形態を実施例にもとづき図面を参照して説明する。
１は第１発明の雨水や融雪水などの循環システムで、建物２と、高置水槽３と、防火兼融雪槽４から構成されている。
Ａ．建物２は、例えばスノーダクト方式の屋根２Ａに設けられたルーフドレン２Ｂと、浴槽２Ｃと、トイレ２Ｄなどが設けられている。
Ｂ．高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられている。
Ｃ．防火兼融雪槽４は、底部４Ａと側壁４Ｂと天板４Ｃから構成され、屋外において、浴槽２Ｃ、トイレ２Ｄの設置位置より下方位置をもって設けられている。
天板４Ｃには開閉自在の蓋４Ｃ１１を有する点検兼雪投入口４Ｃ１が設けられている。
具体的には、この防火兼融雪槽４は、建物２の近傍に地中に埋設した状態で設置されている。
【０００９】
Ｄ．ルーフドレン２Ｂに連結された第１パイプＰ１の下端は、高置水槽３における側壁３Ｂの上端近傍に連結されている。
Ｅ．高置水槽３における側壁３Ｂの下方部分に浄水器１０を介して連結された第２パイプＰ２の先端は、建物２の外部に引出されて蛇口１１が取付けられ、この第２パイプＰ２の途中より第３パイプＰ３と第４パイプＰ４が分岐され、第３パイプＰ３は蛇口を介して浴槽２Ｃに連結され、第４パイプＰ４はトイレ２Ｄに連結されている。
第２パイプＰ２の蛇口１１には、例えば公知の散水器１１Ａを連結することができる。
Ｆ．高置水槽３における側壁３Ｂの上方部分にオーバーフローパイプとして連結された第５パイプＰ５の下端は、防火兼融雪槽４の側壁４Ｂにおける上方部分に連結されている。
Ｇ．浴槽２Ｃからの排水パイプとして連結された第６パイプＰ６の下端は、防火兼融雪槽４の側壁４Ｂにおける上方部分に連結されている。
Ｈ．防火兼融雪槽４の側壁４Ｂにおける下方部分に、防火兼融雪槽側から浄水器１２、ポンプ１３を介して連結された第７パイプＰ７の上端は、高置水槽３の上面開口部に対して開口されている。
Ｉ．防火兼融雪槽４の側壁４Ｂの上方部分にオーバーフローパイプとして連結された第８パイプＰ８の先端は、公知の排水溝９に連結されている。
【００１０】
１イは第２発明の雨水や融雪水などの循環システムで、建物２と、高置水槽３と、防火兼融雪槽４から構成されている。
Ａ．建物２は、例えばスノーダクト方式の屋根２Ａに設けられたルーフドレン２Ｂと、浴槽２Ｃと、トイレ２Ｄなどが設けられている。
Ｂ．高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられている。
Ｃ．防火兼融雪槽４は、底部４Ａと側壁４Ｂと天板４Ｃから構成され、屋外において、浴槽２Ｃ、トイレ２Ｄの設置位置より下方位置をもって設けられている。
天板４Ｃには開閉自在の蓋４Ｃ１１を有する点検兼雪投入口４Ｃ１が設けられている。
具体的には、この点検兼雪投入口４Ｃ１は、建物２の近傍に地中に埋設した状態で設置されている。
【００１１】
Ｄ．ルーフドレン２Ｂに連結された第１パイプＰ１の下端は、高置水槽３における側壁３Ｂの上端近傍に連結されている。
Ｅ．高置水槽３における側壁３Ｂの下方部分に浄水器１０を介して連結された第２パイプＰ２の先端は、建物２の外部に引出されて蛇口１１が取付けられ、この第２パイプＰ２の途中より第３パイプＰ３と第４パイプＰ４が分岐され、第３パイプＰ３は蛇口を介して浴槽２Ｃに連結され、第４パイプＰ４はトイレ２Ｄに連結されている。
第２パイプＰ２の蛇口１１には、例えば公知の散水器１１Ａを連結することができる。
Ｆ．高置水槽３における側壁３Ｂの下方部分に連結された第９パイプＰ９の下端Ｐ９１は、防火兼融雪槽４の底面４Ａの中央部まで引込まれ上方に向け開口されている。
Ｇ．浴槽２Ｃからの排水パイプとして連結された第６パイプＰ６の下端は、防火兼融雪槽４の側壁４Ｂにおける上方部分に連結されている。
Ｈ．防火兼融雪槽４の側壁４Ｂにおける下方部分に、防火兼融雪槽側から浄水器１２、ポンプ１３を介して連結された第７パイプＰ７の上端は、高置水槽３の上面開口部に対して開口されている。
Ｉ．防火兼融雪槽４の側壁４Ｂの上方部分にオーバーフローパイプとして連結された第８パイプＰ８の先端は、公知の排水溝９に連結されている。
【００１２】
【発明の効果】
本発明の効果を作用と共に説明する。
１．屋上に降る雨をルーフドレンから高置水槽に入れて溜めて置き、落差を利用して配管を通じ、便器、散水器、浴槽その他に必要時に配水することができる。
２．浴槽では、高置水槽から導入された水に、公知の湯沸かし器による湯を加えることで入浴できる。
また、浴槽の排水を外部の防火兼融雪槽に溜めることができる。
３．雨量の多い時はオーバーフローで直接防火兼融雪槽に入れることができる。
そして、寒冷地においては、冬期間、防火兼融雪槽を融雪槽として使用することができる。
４．防火兼融雪槽の水は、第７パイプＰ７により浄水器を通り、ポンプで高置水槽に戻し循環させることができる。
５．防火兼融雪槽の水の量が多いときは、オーバーフローで排水溝に流すことができる。
６．降雪の排雪は大変労力のいる作業である。
敷地内に防火兼融雪槽を設けることで、雪を投入するだけで既に地下水温になっている当該防火兼融雪槽内で自然に溶かすことができる。
７．防火兼融雪槽内には常時雨水が入っているので、防火水槽として火災時に備えることができる。
８．以上のような水の使用方法により、水道水の使用量を２分の１程度減少させることができる。
同時に、融雪槽、防火水槽の用途に供することができ、雪対策、火災対策としても確実なものとなる。
厄介物の雪を有効に利用できる。
雪の場合も、雨同様高置水槽に入れ同じ方法とする。
９．第２発明の場合は、さらに下記の作用効果を期待することができる。
高置水槽より防火兼融雪槽への結水をＺ式配管として構成されているから、防火兼融雪槽の中央部で落差を利用して上方に向け排水することになり、防火兼融雪槽内に水の流れができ雪塊を溶かしやすくすることができる。
この際、浄水器１２は使用しない。
従って、大量に雪の投入ができる。
雨は自然の恵みである。これを有効に利用することで、水を使用するシステムを変えることができ、生活コストを下げることができる。
【図面の簡単な説明】
【図１】第１発明の構成図である。
【図２】同上における配管を中心に説明する構成図である。
【図３】第２発明の構成図である。
【図４】同上における配管を中心に説明する構成図である。
【符号の説明】
１  第１発明の雨水や融雪水などの循環システム
２  建物
３  高置水槽
４  防火兼融雪槽
１イ  第２発明の雨水や融雪水などの循環システム
【図１】
0003629401.tif 000002
【図２】
0003629401.tif 000003
【図３】
0003629401.tif 000004
【図４】
0003629401.tif 000005